【手続補正書】
【提出日】平成19年6月26日(2007.6.26)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
画像情報に基づいてシートに画像を形成する画像形成部と、
前記画像形成部から排出されるシートを受け取り、シートに後処理を行う後処理部と、
を有する画像形成装置において、
シートの種類を判別するシート種判別手段と、
シートに転写されるトナー量を判別するトナー量判別手段と、
前記シート種別判別手段により判別されたシートの種類と前記トナー量判別手段により判別されたトナー量とに基づいて、前記後処理部におけるシートの搬送のための制御条件を変更する制御手段と、
を有することを特徴とする画像形成装置。
【請求項２】
前記シート種類判別手段は、シートの厚みおよび表面性を判別することを特徴とする請求項１記載の画像形成装置。
【請求項３】
前記制御手段は、前記後処理部におけるシートの搬送速度、前記後処理部におけるシートの加減速度、および前記後処理部におけるシートの排出速度を制御することを特徴とする請求項１記載の画像形成装置。
【請求項４】
前記制御手段は、前記画像形成部から前記後処理部へ搬送されるシートの搬送間隔を制御することを特徴とする請求項１記載の画像形成装置。
【請求項５】
画像情報に基づいてシートに画像を形成する画像形成部と、
前記画像形成部から排出されるシートを受け取り、シートに後処理を行う後処理部と、
を有する画像形成装置において、
シートの種類を判別するシート種別判別手段と、
シートに転写されるトナー量を判別するトナー量判別手段と、
シートを整合する整合手段と、
前記シート種別判別手段により判別されたシートの種類と前記トナー量判別手段により判別されたトナー量とに基づいて、前記整合手段の動作を制御する制御手段と、
を有することを特徴とする画像形成装置。
【請求項６】
前記シート種類判別手段は、シートの厚みおよび表面性を判別することを特徴とする請求項５記載の画像形成装置。
【請求項７】
前記整合手段は、移動してシートの側端を押圧する整合板を有し、前記制御手段は、前記整合板の動作速度を制御することを特徴とする請求項５記載の画像形成装置。
【請求項８】
前記整合手段は、シートの後端を規制するストッパと、シートを前記ストッパへ向けて移動させる移動手段を有し、前記制御手段は、前記移動手段の動作を制御することを特徴とする請求項６記載の画像形成装置。
【請求項９】
前記移動手段は、シートに当接可能なベルトを有し、前記制御手段は、前記別との前記シートへの当接時間を制御することを特徴とする請求項８記載の画像形成装置。
【請求項１０】
前記移動手段は、シートに当接可能なベルトを有し、前記制御手段は、前記ベルトがシートへ当接する位置を制御することを特徴とする請求項８記載の画像形成装置。
【手続補正３】
【補正対象書類名】明細書
【補正対象項目名】０００１
【補正方法】変更
【補正の内容】
【０００１】
【発明の属する技術分野】
この発明は、画像形成装置に関し、特に、複写機やＬＢＰなどの画像形成装置に適用して好適なものである。
【手続補正４】
【補正対象書類名】明細書
【補正対象項目名】００２５
【補正方法】変更
【補正の内容】
【００２５】
したがって、この発明の目的は、シート表面の摩擦係数低下に伴う搬送時のスベリや斜行、およびこれらに伴う搬送不良、さらに用紙整合時の整合不良、用紙積載時の積載不良、コート紙に対するトナー定着状態の強度不足によるシート表面摺擦部への画像劣化などを抑制するとともに、カラー画像に対応し、各種シートに対応しつつ、安定した機能を有する画像形成装置を提供することにある。
【手続補正５】
【補正対象書類名】明細書
【補正対象項目名】００２６
【補正方法】変更
【補正の内容】
【００２６】
【課題を解決するための手段】
上記目的を達成するために、この発明の第１の発明は、
画像情報に基づいてシートに画像を形成する画像形成部と、
前記画像形成部から排出されるシートを受け取り、シートに後処理を行う後処理部と、
を有する画像形成装置において、
シートの種類を判別するシート種判別手段と、
シートに転写されるトナー量を判別するトナー量判別手段と、
前記シート種別判別手段により判別されたシートの種類と前記トナー量判別手段により判別されたトナー量とに基づいて、前記後処理部におけるシートの搬送のための制御条件を変更する制御手段と、
ことを特徴とする画像形成装置である。
【手続補正６】
【補正対象書類名】明細書
【補正対象項目名】００２７
【補正方法】変更
【補正の内容】
【００２７】
また、この発明の第２の発明は、
画像情報に基づいてシートに画像を形成する画像形成部と、
前記画像形成部から排出されるシートを受け取り、シートに後処理を行う後処理部と、
を有する画像形成装置において、
シートの種類を判別するシート種別判別手段と、
シートに転写されるトナー量を判別するトナー量判別手段と、
シートを整合する整合手段と、
前記シート種別判別手段により判別されたシートの種類と前記トナー量判別手段により判別されたトナー量とに基づいて、前記整合手段の動作を制御する制御手段と、
ことを特徴とする画像形成装置である。
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】０１７５
【補正方法】変更
【補正の内容】
【０１７５】
【発明の効果】
以上説明したように、この発明によれば、シート表面の摩擦係数低下に伴う搬送時のスベリや斜行、およびこれらに伴う搬送不良、さらに用紙整合時の整合不良、用紙積載時の積載不良、コート紙に対するトナー定着状態の強度不足によるシート表面摺擦部への画像劣化などを防止するとともに、カラー対応、各種シートに対応しつつ、安定した機能を有するシート処理装置を具備した画像形成装置を得ることができる。